(57)【特許請求の範囲】
【請求項１】
ＬＥＤモジュール基板を保持及び電気接続するためのコネクタであって、
ＬＥＤモジュール基板を載置するための下カバー部材と、
前記下カバー部材の端部に回動自在に取り付けた上カバー部材とを備え、
前記上カバー部材は前記ＬＥＤモジュール基板に有する給電パッドに弾性接触する給電用の２つの接続端子を有し、
前記接続端子は前記上カバー部材の回動方向と直交しない方向に延在させてあり、
２つの前記接続端子の其々の接点部は前記上カバーと前記下カバーとの回動中心から互いに異なる距離で備えられ、
前記上カバー部材を前記下カバー部材に対して回動させながら閉じると、前記接続端子の前記接点部が前記給電パッドの表面に対して前記接続端子の弾性変位方向と前記上カバー部材の回動方向の２方向に摺動しながら弾性接続するものであり、
前記回動中心に近い方の前記接点部は、回動の進行に伴い前記ＬＥＤモジュール基板の発光部に近づくことを特徴とするＬＥＤモジュール基板用コネクタ。
【請求項２】
前記下カバー部材は前記回動中心に直交する方向の前記下カバー部材における中央部から前記回動中心よりも外側の間につまみ部を備えるものであることを特徴とする請求項１記載のＬＥＤモジュール基板用コネクタ。
【発明の詳細な説明】
【技術分野】
【０００１】
本発明は、チップオンタイプのＬＥＤモジュール基板の電気接続に用いるコネクタに関する。
【背景技術】
【０００２】
ＬＥＤ素子が基板に実装されたＣＯＢ（Ｃｈｉｐ  ｏｎ  ｂｏａｒｄ）タイプのＬＥＤモジュール基板が照明等の分野にて採用されている。
この場合に、ＬＥＤモジュール基板に給電するためのコネクタが用いられている。
例えば、特許文献１には、カバーに設けた偏向端子をＬＥＤアレイ（ＬＥＤモジュール基板）のアノード及びカソードに接触させ、カバーを支持体に固定することでＬＥＤアレイを挟み込むカバーアセンブリを開示する。
しかし、このようにＬＥＤモジュール基板をカバーと支持体等で上下方向挟み込むようにネジ固定する構造にあっては、給電端子のＬＥＤモジュール基板の給電パッドに弾性接触する偏向端子（接続端子）の接触圧がネジの締め付け力により変動する問題がある。
また、予め上カバー部材と下カバー部材とをそれぞれ設け、この上下のカバー部材にてＬＥＤモジュール基板を挟み込む構造が考えられるが、その場合には上カバー部材と下カバー部材とを別々に管理する必要が生じ、輸送時にはそれぞれ梱包することが必要となる。
さらには、上カバー部材に設けた接続端子（コンタクト）に不本意に触れ、変形する恐れもある。
【先行技術文献】
【特許文献】
【０００３】
【特許文献１】特開２０１５−１１８９００公報
【発明の概要】
【発明が解決しようとする課題】
【０００４】
本発明は、ＬＥＤモジュール基板の保持及び電気接続が容易で電気接続の信頼性が高いコネクタの提供を目的とする。
【課題を解決するための手段】
【０００５】
本発明に係るＬＥＤモジュール基板用コネクタは、ＬＥＤモジュール基板を保持及び電気接続するためのコネクタであって、ＬＥＤモジュール基板を載置するための下カバー部材と、前記下カバー部材の端部に回動自在に取り付けた上カバー部材とを備え、
前記上カバー部材は前記ＬＥＤモジュール基板に有する給電パッドに弾性接触する給電用の２つの接続端子を有し、前記接続端子は前記上カバー部材の回動方向と直交しない方向に延在させてあり、２つの前記接続端子の其々の接点部は前記上カバーと前記下カバーとの回動中心から互いに異なる距離で備えられ、前記上カバー部材を前記下カバー部材に対して回動させながら閉じると、前記接続端子の前記接点部が前記給電パッドの表面に対して前記接続端子の弾性変位方向と前記上カバー部材の回動方向の２方向に摺動しながら弾性接続するものであり、前記回動中心に近い方の前記接点部は、回動の進行に伴い前記ＬＥＤモジュール基板の発光部に近づくことを特徴とする。
ここで、上カバー部材を下カバー部材に回動自在に取り付ける構造に制限はなく、例えばヒンジ構造により、上下カバー部材の端部にて相互にヒンジ連結する。
ヒンジ構造も軸着，枢着等その連結構造に制限はない。
【０００６】
本発明は、下カバー部材にＬＥＤモジュール基板を載置し、上カバー部材を回動させて下カバー部材に向けて閉じることでＬＥＤモジュール基板を上下のカバー部材で保持する。
これにより、上カバー部材に設けた給電用の接続端子は上カバー部材の回動に伴い、ＬＥＤモジュール基板の給電パッドの表面を摺動しながら弾性接触するので、接点部にセルフクリーニング作用が働く。
この際に、接続端子は前記上カバー部材の回動方向と直交しない方向に延在させてあり、前記上カバー部材を閉じる方向に回動させると、前記接続端子の接点部が前記給電パッドの表面に対して接続端子の弾性変位方向と上カバー部材の回動方向の２方向に摺動しながら弾性接続するものであると、接点部にさらに強いセルフクリーニング作用が生じる。
ここで、接続端子が上カバー部材の回動方向と直交しない方向に延在するとは、例えば外部電源と接続するために上カバー部材に設けたコンタクトから先端部が接点部となる自由端の弾性片を延在させる場合に、その延在方向が上カバー部材の回動軸方向と直交しない関係にあることをいう。
【発明の効果】
【０００７】
本発明に係るコネクタにあっては、下カバー部材に予め上カバー部材を回動自在に取り付けてあるので、上下カバー部材を一体的に管理でき、上カバー部材の内側に設けた接続端子を不本意に触れ、変形させることもない。
また、上カバー部材の接続端子がこの上カバー部材の回動に伴って、ＬＥＤモジュール基板の給電パッドに摺動しながら接続されるのでセルフクリーニング作用が生じ、電気接続の信頼性が高い。
【図面の簡単な説明】
【０００８】
【図１】本発明に係るＬＥＤモジュール基板用のコネクタの構造例を示す。（ａ）は上カバー部材を開いた状態、（ｂ）は上カバー部材を閉じた状態を上カバー部材の透視図として示す。（ｃ）は給電パッドに接触する接続端子の動きを示す。（ｄ）は上カバー部材を閉じた状態の側面透視図を示す。
【図２】上カバー部材を開いた状態の斜視図を示す。
【図３】上カバー部材を下カバー部材に向けて閉じる際の接続端子と給電パッドとの位置関係を示す。（ａ）は側面図、（ｂ）は平面図、（ｃ）は回動軸方向に見た側面図、（ｄ）は接続端子の動きを示す。
【図４】上カバー部材と下カバー部材とを枢着部から分離した状態を示す。
【図５】コネクタをヒートシンクに固定した状態を示す。
【発明を実施するための形態】
【０００９】
本発明に係るコネクタの構造例を以下図面に基づいて説明するが、本発明はこれに限定されない。
【００１０】
本発明に係るコネクタは、図１，２に示すようにＬＥＤモジュール基板３０を載置し、装着するための装着部２１を有する下カバー部材２０の端部に、ヒンジ構造により回動自在の上カバー部材１０を連結してある。
ヒンジ構造に制限はないが、本実施例では図４に示すように下カバー部材２０の端部に一対の枢着凸部２２を対向配置し、上カバー部材１０の対応する端部に一対の枢着凹部１２を設けた例になっている。
これにより、上カバー部材１０の枢着凹部１２に下カバー部材２０の枢着凸部２２を嵌合枢着することで上カバー部材１０が下カバー部材２０に対して回動自在となっている。
この枢着軸を図１に回動中心Ｏとして一点鎖線で示した。
下カバー部材２０は、ＬＥＤモジュール基板３０を載置装着するための装着部２１を有し、この部分にＬＥＤモジュール基板３０が装着される。
ＬＥＤモジュール基板３０は、ＬＥＤ素子を実装した発光部３１と、この実装したＬＥＤ素子に給電するための給電パッド３２，３３を有する。
また、ＬＥＤモジュール基板３０を下カバー部材２０に装着する際に、相互に装着位置が定まるようにＬＥＤモジュール基板のコーナー部に位置決め凹部３４ａ，３４ｂを設け、下カバー部材２０の装着部２１のコーナー部に位置決めの凸部２１ａ，２１ｂを設けた例になっている。
【００１１】
上カバー部材１０は、ＬＥＤモジュール基板３０の発光部３１から発光する光が外部に向けて発するようにした開口部１１と、ケーブル等にて外部電源と接続するためのコンタクト１３，１４を有する。
本実施例では、図３に示すようにコンタクト１３，１４は、ケーブルの芯線を差し込み接続するための接続部１３ｂ，１４ｂと、コンタクトの本体部から先端部側が自由端となっている板バネ状の弾性片からなる接続端子１３ａ，１４ａを有する。
接続端子１３ａ，１４ａは、コンタクト本体部との付け根部から自由端の延在方向が回動中心軸方向（枢着軸方向）と直交しないように、所定の角度（枢着軸方向と平行である場合も含む）で、配置してある。
上カバー部材１０を閉じて接続端子１３ａ，１４ａがＬＥＤモジュール基板３０の給電パッド３２，３３に弾性接触する際の接点部の動きを図１（ｃ）及び図３に示す。
上カバー部材１０に装着したコンタクト１３，１４から自由端となっている接続端子１３ａ，１４ａが弾性片として延在しているので、本実施例では回動中心Ｏ側に近い方の接続端子１４ａが給電パッド３３に弾性接触し始め、次に遠い方の接続端子１３ａが給電パッド３２に弾性接触するようになる。
接続端子１３ａ，１４ａの接点部１１３ａ，１１４ａには、この接続端子の弾性変形に伴って、弾性変位方向の摺動力と、上カバー部材１０が閉じる方向に回動することで、回動中心側から上カバー部材１０の自由端側に向けて回動方向に変位する摺動力とが作用し、そのベクトル合成として、斜め矢印の方向に摺動する。
これにより、接続端子１３ａ，１４ａの弾性変位方向以外の回動方向にも摺動するので、接点部のセルフクリーニング作用が高い。
【００１２】
モジュール基板３０を予め上下のカバー部材１０，２０にて保持し、安定した給電パッド部の接触圧を確保できるように上カバー部材１０を閉じると、下カバー部材２０に設けた係止部２３ａ，２３ｂに上カバー部材１０に設けた被係止部１５ａ，１５ｂとが相互に係合するようになっている。
この際に開閉操作がしやすいように、図２に示すように下カバー部材２０の両側部につまみ部２４ａ，２４ｂを立設し、指で摘まみやすくなっている。
【００１３】
図５に示すように、ＬＥＤモジュール基板３０をコネクタにセットした状態でヒートシンク１等に上カバー部材１０に設けた取付孔１６ａ，１６ｂを介してネジ等の固定具４ａ，４ｂにて固定する。
次にケーブル２，３の芯線をコンタクト１３，１４の接続部１３ｂ，１４ｂに差し込み接続する。
【符号の説明】
【００１４】
１０      上カバー部材
１１      開口部
１２      枢着凹部
１３      コンタクト
１３ａ    接続端子
１４      コンタクト
１４ａ    接続端子
１５ａ    被係止部
１５ｂ    被係止部
２０      下カバー部材
２１      装着部
２２      枢着凸部
２３ａ    係止部
２３ｂ    係止部
３０      ＬＥＤモジュール基板
３１      発光部
３２      給電パッド
３３      給電パッド
Ｏ        回動中心
【図１】
0006260798.tif 000002
【図２】
0006260798.tif 000003
【図３】
0006260798.tif 000004
【図４】
0006260798.tif 000005
【図５】
0006260798.tif 000006